(57)【要約】【課題】モバイル動画マルチメディア広告を提供するモバイル広告管理サービスシステムを提供すること。【解決手段】広告製作されたテレビジョン動画広告又はマルチメディア動画広告のファイルを管理する広告製作データベースサーバを含む広告主システムと、前記広告主システムから前記ファイルの伝送をうけ、前記ファイルをモバイルで再生可能な形態のモバイル用広告動画ファイルに変換する広告管理サービス社システムと、前記広告管理サービス社システムで変換された前記モバイル用広告動画ファイルの伝送をうけ、広告主が要求する特定対象を選別してモバイル用マルチメディア動画広告のサービスを行う移動通信事業者システムと、前記移動通信事業者システムからモバイル用マルチメディア動画広告のサービスを提供することができるプログラムが搭載された加入者の端末機とを含む構成とすること。【選択図】図２
2007141194.tif 000002
【特許請求の範囲】
【請求項１】
広告製作されたテレビジョン動画広告又はマルチメディア動画広告のファイルを、管理してインターネットを通じて広告管理サービス社システムに伝送するための広告製作データベースサーバを含む広告主システムと、
前記広告主システムから前記ファイルの伝送をうけて、前記ファイルをモバイルで再生可能な形態のモバイル用広告動画ファイルに変換し、前記モバイル用広告動画ファイルを認証された移動通信事業者システムに提供する広告管理サービス社システムと、
前記広告管理サービス社システムで変換された前記モバイル用広告動画ファイルの提供をうけ、広告主が要求する特定対象を選別してモバイル用マルチメディア動画広告のサービスを行う移動通信事業者システムと、
前記移動通信事業者システムからモバイル用マルチメディア動画広告のサービスを提供することができるプログラムが搭載された加入者の端末機と
を含む構成であることを特徴とするモバイル広告管理サービスシステム。
【請求項２】
前記広告管理サービス社システムが、
インターネットを通じて前記広告主システムと前記移動通信事業者システムとに接続し、データ伝送に関連した認証および管理を行うメインサーバと、
前記広告主システムから受信された前記テレビジョン動画広告又は前記マルチメディア動画広告のファイルを前記モバイル用動画広告ファイルに変換するファイル変換サーバと、
認証された移動通信事業者に、広告主が要求する広告条件情報と変換された前記モバイル用広告動画ファイルとを分配する分配サーバと
を含む構成であることを特徴とする請求項１記載のモバイル広告管理サービスシステム。
【請求項３】
前記移動通信事業者システムが、
インターネットを通じてモバイル加入者の多様な情報を収集及び多様なモバイルコンテンツを加入者に提供するウェブサーバと、
モバイルサービスを提供するモバイルシステム部と、
加入者に前記モバイル用マルチメディア動画広告をサービスするマルチメディア動画広告システム部と
を含み、
かつ、
前記モバイルシステム部が、モバイル加入者の情報を蓄積した顧客データベースを含み、
かつ、
前記マルチメディア動画広告システム部が、
前記広告管理サービス社システムから前記テレビジョン動画広告又はマルチメディア動画広告のファイルの提供を受けて蓄積する広告データベースサーバと、
前記モバイルシステム部を通じて得られる情報を利用して加入者に前記モバイル用マルチメディア動画広告のサービスを提供する広告サービス管理サーバとを含む構成であることを特徴とする請求項１記載のモバイル広告管理サービスシステム。
【請求項４】
前記モバイルシステム部が、加入者の位置情報を提供する位置情報サーバをも含み、
かつ、
前記広告サービス管理サーバが、前記位置情報サーバから提供されるデータを利用して前記モバイル用マルチメディア動画広告のサービスを提供する手段を含むことを特徴とする請求項１記載のモバイル広告管理サービスシステム。
【請求項５】
前記マルチメディア動画広告システム部が、
モバイル加入者の同意を得て前記モバイル用マルチメディア動画広告のサービスを提供するサービスに加入した顧客の情報を顧客データベースサーバから提供をうけて蓄積する広告加入者データベースサーバをも含み、
かつ、
前記広告サービス管理サーバが、
前記広告加入者データベースサーバに該当する加入者及び加入者情報によって前記モバイル用マルチメディア動画広告のサービスを行うことを特徴とする請求項３記載のモバイル広告管理サービスシステム。
【請求項６】
前記広告サービス管理サーバが、
前記加入者の端末機に搭載されたプログラムのバ―ジョンをチェックして、その結果によって該当するプログラムのアップグレード、データ送信等の一連の過程を処理する手段を含む加入者プログラム管理モジュ―ルと、
広告主が要請する広告対象、広告方法等の広告条件に従って該当する前記加入者の端末機に前記モバイル用マルチメディア動画広告を提供する手段を含む広告サービスモジュ―ルと、
広告サービス提供に関連して顧客サービスデータ分析資料及び統計資料を抽出して前記広告管理サービス社システムに伝送する手段を含む広告統計モジュ―ルとを含む構成であることを特徴とする請求項３から請求項５のいずれかに記載のモバイル広告管理サービスシステム。
【請求項７】
前記加入者の端末機に搭載されたプログラムが、
モバイルテレビジョン広告又はマルチメディア動画広告サービスを提供するプログラムであって、
前記移動通信事業者システムから提供される前記モバイル用マルチメディア動画広告を表示してモニタリングするビューアープログラム部と、
プログラムのアップグレードをするプログラム部とを含む構成であることを特徴とする請求項１から請求項６のいずれかに記載のモバイル広告管理サービスシステム。
【請求項８】
前記動画広告サービス管理サーバの前記広告統計モジュ―ルが、広告の統計分析資料を即時に提供する手段を含み、
かつ、
前記広告管理サービス社システムが、前記広告サービス管理サーバの前記広告の統計分析資料を広告主が即時確認する手段を含むことを特徴とする請求項６に記載のモバイル広告管理サービスシステム。
【発明の詳細な説明】
【技術分野】
【０００１】
本発明は、モバイル（ＰＨＳ、ＰＣＳ、ＰＤＡ、ＤＭＢ、ＰＭＰ、ＰＳＰ等）使用者を相手として広告を提供するモバイル広告管理サービスシステムに関するものである。
【背景技術】
【０００２】
現在、私たちは、無数な広告物の中にいるというのも過言ではないほど、あらゆる商取引に必ず広告は必要であるゆえ、現代の社会で広告はかなり重要な位置をしめている。
【０００３】
広告の生命は、より多い使用者たちが広告を確認したということに意味があっても、使用者たちがこれを確認してもかならずしも高い広告効果を得たとはいえない。
【０００４】
従って広告の相手即ち、広告をしょうとする物品、製品また会社イメージ及びサービス等に該当する主要な消費者を確実にターゲットとする場合、広告効果は非常に高いといえるだろう。
【０００５】
広告は不特定多数を対象にしたり、特定な、例えば年齡、職業、男女、等に敏感に作用する製品の販売、企業イメージ改善等を目的とした、特定多数を対象にしている。
【０００６】
これらの観点で探して見ると、テレビジョンや新聞等は公信力を持って広告の信頼することは出来るが、特定の多数に対して広告の効果を極大化するのが難しく、また広告費が他の広告にくらべて高くなる。インターネットを通じての広告は、少ない費用で比較的特定対象を攻略するにはおおくの長所を持っているが、実際にはテレビジョンのように公衆波放送とくらべて広告の効果はあまり高くないと思われる。
【０００７】
それに比べてモバイル広告は、即時に情報伝達でき、標的選別の能力があり、そのうえターゲットへの到達費用が安価という面で主要な広告方法に浮上するのである。
【０００８】
消費者の広告受信に対しての拒否感と、顧客情報の無断使用、それから広告効果に対しての疑心などのモバイル広告の否定的な面もある。これは無線インフラの利用料金の割引と、個人私生活保護、無線インフラの速度向上改善、さらに広告受信に対して補償制供等を通じてモバイル広告を活性化するような方法を摸索している。
【０００９】
広告と顧客に会社と商品のイメージを伝達するのが広告といえる。モバイル広告は、移動通信の端末機を利用して顧客へのマルチメディア動画の具現方法で顧客からの期待する反応を得る。モバイル媒体は、ＳＭＳ（ショートメッセージサービス：ｓｈｏｒｔ  ｍｅｓｓａｇｅ  ｓｅｒｖｉｃｅ）と無線インターネット技術的基盤と双方向性等の差別化した特性などで個人化されたターゲットの広告を可能とすることにより、広告主の主要な代替媒体として浮上するのである。
【００１０】
モバイル広告は単文メッセージを通じてＳＭＳ広告、文書、動画、音楽等マルチメディア広告のＭＭＳ（Ｍｕｌｔｉｍｅｄｉａ  Ｍｅｓｓａｇｉｎｇ  Ｓｅｒｖｉｃｅ）広告、無線インターネットサイトにコンテンツ形式で掲載されるＷＡＰ（Ｗｉｒｅｌｅｓｓ  Ａｐｐｌｉｃａｔｉｏｎ  Ｐｒｏｔｏｃｏｌ）広告、携帯電話待機の時間に自動的に再生するマルチメディア広告、動画広告、価格割引、おくりもの等を提供するクーポン広告、また背景文書面に広告主特性、イメージ等をみられる文書広告等の多様な類型があるのである。その中で、ＳＭＳ広告が全体モバイル広告の９０％以上をしめている。
【００１１】
ＳＭＳ広告は８０〜１００バイト程度のみじかいテキスト形式文字情報を伝達するのが出来る単文メッセージサービスで特定の消費者を選別して顧客にまず接近する形態のプッシュ（ｐｕｓｈ）型方式の広告である。
【００１２】
一方、ＷＡＰ（Ｗｉｒｅｌｅｓｓ  Ａｐｐｌｉｃａｔｉｏｎ  Ｐｒｏｔｏｃｏｌ）広告、動画広告は無線インターネットを基盤にして消費者たちの通信量（ｔｒａｆｆｉｃ）が多い無線インターネットホームページにコンテンツ形式で掲載して消費者たちが自発的に接近するようにしたプル（ｐｕｌｌ）型方式の広告である。
【００１３】
モバイル広告はターゲットマーケティングが可能で到達率と注目率が高いといえる。モバイル広告は、最近、個人化されたターゲット広告、双方向性等で、広告主たちに注目されている。クーポン提供、プロモーション等、直接の反応がわかる、広告の効果的な媒体として知られている。
【００１４】
このようにモバイル広告の長所でモバイル市場の規模はどんどん成長しているのである（例えば、特許文献１参照）。
【特許文献１】特開２００５−２２２１２６号公報（０００８段落）
【発明の開示】
【発明が解決しようとする課題】
【００１５】
しかし、広告主や広告企画社に経済的な負担があった。また、モバイル使用者に広告サービス提供に拒否感がある場合があった。
【００１６】
本発明の目的は、モバイル動画マルチメディア広告を提供するモバイル広告管理サービスシステムを提供することにある。
【課題を解決するための手段】
【００１７】
本発明のモバイル広告管理サービスシステムは、広告製作されたテレビジョン動画広告又はマルチメディア動画広告のファイルを、管理してインターネットを通じて広告管理サービス社システムに伝送するための広告製作データベースサーバを含む広告主システムと、
前記広告主システムから前記ファイルの伝送をうけて、前記ファイルをモバイルで再生可能な形態のモバイル用広告動画ファイルに変換し、前記モバイル用広告動画ファイルを認証された移動通信事業者システムに提供する広告管理サービス社システムと、
前記広告管理サービス社システムで変換された前記モバイル用広告動画ファイルの提供をうけ、広告主が要求する特定対象を選別してモバイル用マルチメディア動画広告のサービスを行う移動通信事業者システムと、
前記移動通信事業者システムからモバイル用マルチメディア動画広告のサービスを提供することができるプログラムが搭載された加入者の端末機と
を含む構成であることを特徴とするものである。
【００１８】
本発明のモバイル広告管理サービスシステムは、前記広告管理サービス社システムが、
インターネットを通じて前記広告主システムと前記移動通信事業者システムとに接続し、データ伝送に関連した認証および管理を行うメインサーバと、
前記広告主システムから受信された前記テレビジョン動画広告又は前記マルチメディア動画広告のファイルを前記モバイル用動画広告ファイルに変換するファイル変換サーバと、
認証された移動通信事業者に、広告主が要求する広告条件情報と変換された前記モバイル用広告動画ファイルとを分配する分配サーバと
を含む構成であることを特徴とする。
【００１９】
本発明のモバイル広告管理サービスシステムは、前記移動通信事業者システムが、
インターネットを通じてモバイル加入者の多様な情報を収集及び多様なモバイルコンテンツを加入者に提供するウェブサーバと、
モバイルサービスを提供するモバイルシステム部と、
加入者に前記モバイル用マルチメディア動画広告をサービスするマルチメディア動画広告システム部と
を含み、
かつ、
前記モバイルシステム部が、モバイル加入者の情報を蓄積した顧客データベースを含み、
かつ、
前記マルチメディア動画広告システム部が、
前記広告管理サービス社システムから前記テレビジョン動画広告又はマルチメディア動画広告のファイルの提供を受けて蓄積する広告データベースサーバと、
前記モバイルシステム部を通じて得られる情報を利用して加入者に前記モバイル用マルチメディア動画広告のサービスを提供する広告サービス管理サーバとを含む構成であることを特徴とする。
【００２０】
本発明のモバイル広告管理サービスシステムは、前記モバイルシステム部が、加入者の位置情報を提供する位置情報サーバをも含み、
かつ、
前記広告サービス管理サーバが、前記位置情報サーバから提供されるデータを利用して前記モバイル用マルチメディア動画広告のサービスを提供する手段を含むことを特徴とする。
【００２１】
本発明のモバイル広告管理サービスシステムは、前記マルチメディア動画広告システム部が、
モバイル加入者の同意を得て前記モバイル用マルチメディア動画広告のサービスを提供するサービスに加入した顧客の情報を顧客データベースサーバから提供をうけて蓄積する広告加入者データベースサーバをも含み、
かつ、
前記広告サービス管理サーバが、
前記広告加入者データベースサーバに該当する加入者及び加入者情報によって前記モバイル用マルチメディア動画広告のサービスを行うことを特徴とする。
【００２２】
本発明のモバイル広告管理サービスシステムは、前記広告サービス管理サーバが、
前記加入者の端末機に搭載されたプログラムのバ―ジョンをチェックして、その結果によって該当するプログラムのアップグレード、データ送信等の一連の過程を処理する手段を含む加入者プログラム管理モジュ―ルと、
広告主が要請する広告対象、広告方法等の広告条件に従って該当する前記加入者の端末機に前記モバイル用マルチメディア動画広告を提供する手段を含む広告サービスモジュ―ルと、
広告サービス提供に関連して顧客サービスデータ分析資料及び統計資料を抽出して前記広告管理サービス社システムに伝送する手段を含む広告統計モジュ―ルとを含む構成であることを特徴とする。
【００２３】
本発明のモバイル広告管理サービスシステムは、前記加入者の端末機に搭載されたプログラムが、
モバイルテレビジョン広告又はマルチメディア動画広告サービスを提供するプログラムであって、
前記移動通信事業者システムから提供される前記モバイル用マルチメディア動画広告を表示してモニタリングするビューアープログラム部と、
プログラムのアップグレードをするプログラム部とを含む構成であることを特徴とする。
【００２４】
本発明のモバイル広告管理サービスシステムは、前記動画広告サービス管理サーバの前記広告統計モジュ―ルが、広告の統計分析資料を即時に提供する手段を含み、
かつ、
前記広告管理サービス社システムが、前記広告サービス管理サーバの前記広告の統計分析資料を広告主が即時確認する手段を含むことを特徴とする。
【発明の効果】
【００２５】
本発明のモバイル広告管理サービスシステムは、上述したとおりであるので、モバイル動画マルチメディア広告を提供することができる。
【００２６】
本発明によれば、製作されたマルチメディア動画広告映像をモバイル特性に適合するように変換して移動通信社へ提供し、移動通信社では該当するモバイル別に変換して使用者に広告を効果的に提供することができる。
【００２７】
本発明によれば、多様なテレビジョン広告又はマルチメディア動画広告をモバイルの広告で適合に変換して提供するサービスするようなシステムを提供することができる。
【００２８】
本発明によれば、広告企画会社または広告主から製作されたテレビジョン広告及びマルチメディア動画広告の映像のデータを提供してもらってモバイルで再生が可能な形態のファイルに変換して変換されたファイルを契約の移動通信事業者に分配配信して提供することができる。移動通信事業者が移動通信に加入したモバイル使用者に広告サービスできるように変換して提供することができる。
【００２９】
本発明によれば、移動通信事業者が広告主または広告企画社が要求する広告対象によって加入者情報を利用して特定対象を選別しながら広告を提供することができる。
【００３０】
本発明によれば、事前製作されているテレビジョン動画広告及びマルチメディア動画広告をモバイルで表示可能な形態のファイルで提供するので、広告主また広告企画社の経済的な負担をへらすことができるばかりでなく、この広告を提供うけるモバイル使用者側では興味を誘発して広告サービス提供に拒否感をへらすことができる。
【００３１】
さらにモバイル広告特性上、広告条件に適当な特定対象を設定して広告が可能であるので、広告効果が高い位置、時間によってイベント性広告の具現が可能であるから広告の効果を極大化することができる。
【００３２】
また広告主は広告の効果を即時で確認することができる。
【００３３】
移動通信事業者は新規顧客誘致及び既存顧客に多様なサービスを提供する為に基盤をつくるができるし、顧客の場合では自分の関心分野にたいして広告を提供することもできるし、それによって報償の恵みをうけることができる。
【発明を実施するための最良の形態】
【００３４】
本発明は、広告で製作されたテレビジョン広告の動画及びマルチメディア動画広告を管理してインターネットを通じて広告管理サービス会社のシステムに伝送する広告製作データベースサーバを包含する広告主のシステムと、広告主システムから伝送を受信するテレビジョン広告の動画及びマルチメディア動画広告をモバイルを通じて再生可能な形態のファイルに変換してその変換されたファイルを認証した移動通信事業者のシステムに提供する使用者に広告サービスができるように変換して提供する広告管理サービス社システムと、広告管理サービス社システムから変換されたマルチメディア動画広告ファイルの提供をうけて広告主が要求する特定対象を選別してマルチメディア動画広告をサービスする移動通信事業者システムで構成する。
【００３５】
以下に、添付した図面を参照しながら、本発明の好適な実施例の構成及び作用を詳細に説明する。
【実施例】
【００３６】
図１は、本発明の実施例に係るモバイル広告（マルチメディア動画）サービス及びその管理システムの概略的な構成の仕組みを現す図面である。
【００３７】
図２は、本発明の実施例に係るモバイル広告管理サービスシステムの概略的な構成の仕組みを現す系統図である。
【００３８】
図１で示したように、本実施例に係るモバイル広告管理サービスシステムは、広告で製作されたテレビジョン広告の動画及びマルチメディア動画広告を管理してインターネットを通じて広告管理サービス社システム（２００）に伝送する広告製作データベースサーバ（１０１）を包含する広告主システム（１００）と、広告主システム（１００）から伝送を受信するテレビジョン広告動画及びマルチメディア動画広告をモバイルを通じて再生可能な形態のファイルに変換してその変換されたファイルを認証された移動通信事業者システム（３００）に提供する広告管理サービス社システム（２００）と、広告管理サービス社システム（２００）から変換された動画広告ファイルの提供をうけて広告が要求する特定対象を選別して動画広告をサービスする移動通信事業者システム（３００）と、移動通信事業者システム（３００）から動画広告サービスの提供を受けることができるプログラムが搭載された加入者端末機（４００）を含む構成である。
【００３９】
上記の広告管理サービス社システム（２００）はインターネットを通じて広告主システム（１００）及び移動通信事業者システム（３００）で接続及びデータ伝送に関連した認証及び管理するメインサーバ（２０１）と、広告主システム（１００）から受信したテレビジョン広告動画及びマルチメディア動画広告ファイルをモバイル用広告動画ファイルで変換するファイル変換サーバ（２０２）と、認証された移動通信事業者システム（３００）で変換されたモバイル用広告動画ファイルを分配する分配サーバ（２０３）を含む構成である。
【００４０】
上記のように移動通信事業者システム（３００）はインターネットを通じてモバイル加入者の多様な情報と関心分野を収集、把握してその性向に合うターゲットの広告及び多様なモバイルコンテンツを加入者に提供するウェブサーバ（３０１）と、モバイルサービスを提供するモバイルシステム部と、加入者にマルチメディア動画広告をサービスする動画広告システム部を含み、モバイルシステム部は加入者の位置情報を提供する位置情報サーバ（３０２）と、モバイル加入者の情報が蓄積された顧客データベースサーバ（３０３）を含む。
【００４１】
動画広告システム部は広告管理サービス社システム（２００）から動画広告ファイルの提供をうけ蓄積する広告データベースサーバ（３０４）と、マルチメディア広告動画広告サービスに加入した顧客の情報を顧客データベースサーバ（３０３）から提供をうけ蓄積する広告加入者データベースサーバ（３０５）と、モバイルシステム部を通じて取得される情報を利用して広告加入者データベースサーバ（３０５）に登録した加入者に動画広告サービスを提供する広告サービス管理サーバ（３０６）を含む構成である。
【００４２】
このような本実施例は、テレビジョン広告又はマルチメディア動画広告を製作また製作されたテレビジョン広告又はマルチメディア動画広告を広告管理サービスシステムを通じて広告要請する広告主システム（１００）と広告主システム（１００）からモバイル広告を依頼し認証された移動通信事業者システム（３００）で広告主システム（１００）からの依頼を頼まれたテレビジョン広告又はマルチメディア動画広告をモバイルでサービス可能な形態に提供する広告管理サービス社システム（２００）と、広告管理サービス社システム（２００）から提供するモバイル用テレビジョン広告又はマルチメディア動画広告を加入者に提供する移動通信事業者システム（３００）を含む構成である。
【００４３】
上記のように広告主システム（１００）は広告主や広告企画社から製作また製作されているテレビジョン広告又はマルチメディア動画広告をモバイル使用者に提供する広告管理サービス社システム（２００）で伝送する手段を含む広告製作データベースサーバ（１０１）を含む構成である。
【００４４】
広告製作データベースサーバ（１０１）は単純にテレビジョン広告又はマルチメディア動画広告をモバイル広告依頼するテレビジョン動画及びマルチメディア動画広告ファイルを保管管理して伝送する手段を有する構成とすることができる。
【００４５】
広告管理サービス社システム（２００）は広告主や広告企画会社との契約を通じて広告依頼をもらってまえもって契約されている移動通信事業者を通じてモバイル加入者に提供する技術的な支援サービスを提供する広告管理サービス社のシステムの構成である。
【００４６】
広告管理サービス社システム（２００）のメインサーバ（２０１）は広告管理サービス社からモバイルテレビジョン広告又はマルチメディア動画広告サービスを提供する広告主システム（１００）及び移動通信事業者システム（１０２）の認証及びデータ送受信処理を行う手段を含めた全体システムの管理をする。
【００４７】
そして広告サービス管理サーバ（３０６）の広告統計分析資料を広告主が即時モニタリングが出来るようにモジュ―ルで構成提供する。
【００４８】
ファイル変換サーバ（２０２）は広告主システム（１００）から受信になったテレビジョン広告動画ファイル及びマルチメディア動画広告をモバイルからサービス可能にモバイル用マルチメディア広告動画ファイルに変換製作する手段を含める。
【００４９】
分配サーバ（２０３）は変換になったモバイル用マルチメディア広告動画ファイルを認証された移動通信事業者システム（３００）から自動分配伝送する手段を含む。
【００５０】
移動通信事業者システム（３００）は移動通信事業者がモバイル使用者に携帯電話サービスを提供する構成するモバイルシステム部と、モバイル用テレビジョン広告又はマルチメディア動画広告サービスを提供する広告サービス部との構成になる。
【００５１】
モバイルシステム部は移動通信事業者システム（３００）を含む一般的な構成による。
【００５２】
広告サービス部は広告データベースサーバ（３０４）と、広告加入者データベースサーバ（３０５）と、広告サービス管理サーバ（３０６）とウェブサーバ（３０１）を含み、モバイルシステム部は位置情報サーバ（３０２）と、顧客データベースサーバ（３０３）とを含む構成である。
【００５３】
広告データベースサーバ（３０４）は広告管理サービス社システム（２００）の分配サーバ（２０３）から伝送する変換されたモバイル用マルチメディア広告動画ファイルを受信して、受信したモバイル用マルチメディア広告動画ファイルを蓄積する手段を含む。
【００５４】
広告加入者データベースサーバ（３０５）は該当の移動通信事業者に加入されたモバイル顧客データベースサーバ（３０３）の使用者用マルチメディア動画広告サービスを提供するために加入した顧客の情報を顧客データベースサーバ（３０３）から提供をうけて蓄積する。
【００５５】
この時、移動通信事業者システム（３００）に加入した加入者全員をマルチメディア動画広告サービス対象する場合広告加入者データベースサーバ（３０５）は構成しなくてもいい。
【００５６】
この場合移動通信加入時にマルチメディア動画広告サービスに対して告知や、その他いろいろな方法が可能である。
【００５７】
広告サービス管理サーバ（３０６）は加入者端末機（４００）にモバイル用テレビジョン広告動画及びマルチメディア動画広告を提供して管理する手段を含む。
【００５８】
広告サービス管理サーバ（３０６）は加入者端末機（４００）に搭載されたプログラムのバ―ジョンをチェック、その結果によって該当するプログラムのアップグレード、データ送信等の一連の過程を処理する手段を含む加入者プログラム管理モジュ―ル（３０６ａ）と、広告主が要請する広告対象、広告方法等の広告条件によって該当する加入者端末機（４００）にモバイル動画広告を提供する手段を含む広告サービスモジュ―ル（３０６ｂ）と、広告サービス提供に関連して顧客サービスデータ分析資料及び統計資料を抽出して広告管理サービス社システム（２００）のメインサーバ（２０１）へ伝送する手段を含んだ広告統計モジュ―ル（３０６ｃ）で構成される。
【００５９】
加入者端末機（４００）はモバイルテレビジョン広告又はマルチメディア動画広告サービスを提供するプログラムが搭載されている、プログラムは移動通信事業者システム（３００）の広告サービス管理サーバ（３０６）から提供を受ける。
【００６０】
加入者端末機（４００）に搭載されたプログラムはマルチメディア動画広告を表示するビューアープログラム部と、プログラムアップグレードするプログラム部を含む。
【００６１】
このような構成を有する本発明は動作の過程を詳細に説明すれば次の通りである。
【００６２】
広告主また広告企画社では広告主システム（１００）の広告製作データベースサーバ（１０１）を通じてモバイル広告依頼するテレビジョン動画広告及びマルチメディア動画広告ファイルを広告管理サービス社システム（２００）に伝送する。
【００６３】
この時広告主システム（１００）からは広告主が選択した広告条件情報を添付して広告管理サービス社システム（２００）に伝送する。
【００６４】
上記広告条件情報はオフィスラインまた別の通信手段を通じて広告管理サービス社システム（２００）から伝達することが出来る。
【００６５】
広告管理サービス社システム（２００）のメインサーバ（２０１）では広告主システム（１００）から伝送したテレビジョン動画広告及びマルチメディア動画広告ファイルを受信してファイル変換サーバ（２０２）に伝達する。
【００６６】
オフィスライン上で受信した場合には広告管理サービス社システム（２００）の運営者がメインサーバ（２０１）を通じて入力して広告条件情報を設定する。
【００６７】
ファイル変換サーバ（２０２）ではテレビジョン動画広告及びマルチメディア動画広告ファイルをモバイルマルチメディア広告サービス可能なようにファイル変換する。
【００６８】
このようにファイル変換が完了すれば、分配サーバ（２０３）では契約になった移動通信事業者システム（３００）から広告条件情報とともに伝送する。
【００６９】
この時広告条件情報に国家また移動通信事業者を指定する広告条件があったら従って該当する移動通信事業者システム（３００）だけで伝送するようになる。
【００７０】
移動通信事業者システム（３００）と広告管理サービス社システム（２００）はひとつの国家の内にあらゆる構成をしたりまた広告管理サービス社システム（２００）はひとつだけ構成して、インターネットを通じてひとつの国家またその以上の国家の各移動通信事業者システム（３００）を構成（契約によって）してインターネットを通じてこのシステム具現が可能である。
【００７１】
移動通信事業者システム（３００）の広告データベースサーバ（３０４）からは広告管理サービス社システム（２００）から受信になったモバイル用テレビジョン動画広告及びマルチメディア動画広告の広告条件情報を蓄積する。
【００７２】
広告サービス管理サーバ（３０６）では広告条件情報を確認して、それによって広告サービス方法を設定してから広告加入者データベースサーバ（３０５）から広告サービスを提供を受け該当する加入者に選別してモバイルテレビジョン動画広告及びマルチメディア動画広告をサービスする。
【００７３】
次に、移動通信事業者システム（３００）の広告サービス過程の詳細に説明すれば次のとおりである。
【００７４】
移動通信事業者システム（３００）の広告加入データベースサーバ（３０５）から自分の顧客中のマルチメディア動画広告サービスに加入された顧客情報を顧客データベースサーバ（３０３）から抽出して蓄積する。
【００７５】
この時ウェブサーバ（３０１）を通じて加入された顧客の性向を把握するのが出来る基本的な情報と変更された情報を入力することになる。
【００７６】
これはモバイルマルチメディア動画テレビジョン広告又はマルチメディア動画広告サービスに利用する追加的な顧客情報である。
【００７７】
顧客情報が詳細すれば広告条件にあってさらに効果的な広告対象を設定して広告サービスが可能になる。
【００７８】
モバイルマルチメディア動画広告サービスを提供する加入者端末機（４００）には、これに対応するプログラムを搭載しなければならない。このようなプログラムは広告サービス管理サーバ（３０６）から提供する。
【００７９】
広告サービス管理サーバ（３０６）の加入者プログラム管理モジュ―ル（３０６ａ）からは加入者端末機（４００）のプログラムを伝送して加入者端末機（４００）に搭載させて、加入者端末機（４００）のプログラムバ―ジョンを確認して最近のプログラムバ―ジョンにアップグレードさせる。
【００８０】
広告サービスモジュ―ル（３０６ｂ）からは広告条件に適合する加入者を広告加入者データベースサーバ（３０５）からさがして広告対象を設定する。または広告サービス方法を設定して該当する加入者に広告データベースサーバ（３０４）に蓄積されたモバイル用テレビジョン動画広告及びマルチメディア動画広告を広告サービス方法によって提供する。
【００８１】
広告条件に適当な情報を最大限くみあわせて広告対象を設定する。
【００８２】
モバイルの特性上加入者の位置によって広告が可能であるから、位置情報サーバ（３０２）から加入者端末機（４００）の位置を確認して、その位置によって適当なイベント性広告を提供することが出来る。
【００８３】
この場合広告サービスモジュ―ル（３０６ｂ）からは位置情報サーバ（３０２）から加入者の位置を確認して該当する広告を提供する。
【００８４】
加入者端末機（４００）には移動通信事業者システム（３００）から提供された動画広告を表示するので、移動通信事業者システム（３００）から設定した広告サービス方法によって加入者端末機（４００）内のビューアープログラムによって表示する。
【００８５】
例えば基本画面、電話が受信時した時、電話をかける時等によって表示させる広告における広告効果が高くなる。
【００８６】
広告が進んで時間（また期間）が経過したら広告統計モジュ―ル（３０６ｃ）からは広告を提供したデータについて、モバイル使用者が確認した内容（受信情報）に関したデータに対する統計を即時算出して広告管理サービス社システム（２００）から即時に伝送する。
【００８７】
広告管理サービス社システム（２００）のメインサーバ（２０１）には接続許容される（認証された）移動通信事業者システム（３００）からも広告サービス統計データを伝送をうけ広告主システム（１００）で即時提供する。
【００８８】
従って広告主は自分の広告効果を即時モニタリングしながら確認することになる。
【００８９】
以上、本発明の好適な実施例について説明したが、本発明は、かかる実施例に限定されない。当業者であれば、特許請求の範囲に記載された技術的思想の範囲内において、各種の変更例又は修正例に想到しうることは明らかであり、それらについても当然に本発明の技術的範囲に属するものと了解される。
【図面の簡単な説明】
【００９０】
【図１】本発明の実施例に係るモバイル広告（マルチメディア動画）サービス及びその管理システムの概略的な構成の仕組みを現す図面である。
【図２】本発明の実施例に係るモバイル広告管理サービスシステムの概略的な構成の仕組みを現す系統図である。
【符号の説明】
【００９１】
１００  広告主システム
１０１  広告製作データベースサーバ
２００  広告管理サービス社システム
２０１  メインサーバ
２０２  ファイル変換サーバ
２０３  分配サーバ
３００  移動通信事業者システム
３０１  ウェブサーバ
３０２  位置情報サーバ
３０３  顧客データベースサーバ
３０４  広告データベースサーバ
３０５  広告加入者データベースサーバ
３０６  広告サービス管理サーバ
４００  加入者端末機
【図１】
2007141194.tif 000003
【図２】
2007141194.tif 000004